【手続補正書】
【提出日】令和3年8月24日(2021.8.24)
【手続補正１】
【補正対象書類名】明細書
【補正対象項目名】００３３
【補正方法】変更
【補正の内容】
【００３３】
駆動信号生成部３４４は、入力された映像信号用タイミング信号のドットクロック、データイネーブル信号、垂直同期信号、水平同期信号から、デルタナブラパネルのデータドライバ３５５、走査ドライバ１３１、及びエミッションドライバ１３２の制御信号（又は、パネルの駆動信号）を生成し、それらに出力する。
【手続補正２】
【補正対象書類名】明細書
【補正対象項目名】００４５
【補正方法】変更
【補正の内容】
【００４５】
［デルタナブラパネルにおける画素配置］
図５は、デルタナブラパネルにおける画素配置を示す。図５は、表示領域１２５の全域
を模式的に示す。表示領域１２５は、面内に配置されている、複数の赤副画素４１Ｒ、複数の緑副画素４１Ｇ、及び複数の青副画素４１Ｂで構成されている。図５において、一つの赤副画素、一つの緑副画素、及び一つの青副画素が、例として、符号で指示されている。図５において、同一のハッチングの（丸い角の）四角は、同一色の副画素を示す。図５において、副画素の形状は四角であるが、副画素の形状は任意であって、例えば、六角形又は八角形であってもよい。
【手続補正３】
【補正対象書類名】明細書
【補正対象項目名】００７２
【補正方法】変更
【補正の内容】
【００７２】
赤副画素４１Ｒは、緑副画素行４３Ｇに隣接する赤副画素行４３Ｒに含まれる。青副画素４１Ｂは、緑副画素行４３Ｇに隣接する青副画素行４３Ｂに含まれる。赤副画素４１Ｒ及び青副画素４１Ｂは、それぞれ、Ｘ軸に沿って、緑副画素４１Ｇ１、４１Ｇ２の間、本例において中央に位置する。
【手続補正４】
【補正対象書類名】明細書
【補正対象項目名】００７６
【補正方法】変更
【補正の内容】
【００７６】
表示領域１２５は、Ｘ軸に沿って配列された、表示画素列で構成されている。図６において、四つの表示画素列が、例として、それぞれ符号６１Ａ、６１Ｂ、６１Ｃ、６１Ｄで指示されている。表示領域１２５は、左端の表示画素列６１Ａ、右端の表示画素列６１Ｂ及びそれらに挟まれている複数の表示画素列で構成されている。各表示画素列は、交互に配列されている第１種表示画素５５及び第２種表示画素行６６で構成されている。
【手続補正５】
【補正対象書類名】特許請求の範囲
【補正対象項目名】全文
【補正方法】変更
【補正の内容】
【特許請求の範囲】
【請求項１】
表示パネルと、
前記表示パネルを制御する制御装置と、
を含む表示装置であって、
前記表示パネルの表示領域は、第１軸に沿って延びる複数の副画素行及び第２軸に沿って延びる奇数本の副画素列の構成を有し、
前記複数の副画素行は、交互に配列された、赤副画素からなる赤副画素行と、青副画素からなる青副画素行と、緑副画素からなる緑副画素行と、で構成され、
前記複数の副画素行において、隣接する副画素行は、前記第１軸に沿ってずれており、
前記奇数本の副画素列のそれぞれは、交互に配列された、赤副画素、緑副画素及び青副画素で構成され、
前記制御装置は、前記表示領域における第１種表示画素及び第２種表示画素それぞれの輝度データを、映像フレームに含まれるフレーム画素の輝度データから決定し、
前記第１種表示画素のそれぞれは、
一つの緑副画素と、
前記一つの緑副画素を含む緑副画素行に隣接する赤副画素行に含まれ、それぞれ前記一つの緑副画素を含む副画素列に隣接する副画素列に含まれる二つの赤副画素と、
前記一つの緑副画素を含む緑副画素行に隣接する青副画素行に含まれ、それぞれ前記一つの緑副画素を含む副画素列に隣接する前記副画素列に含まれる二つの青副画素と、で構成され、
前記第２種表示画素のそれぞれは、
一つの緑副画素行において隣接する二つの緑副画素と、
前記二つの緑副画素をそれぞれ含む副画素列の間の副画素列及び前記一つの緑副画素行に隣接する赤副画素行に含まれる、赤副画素と、
前記二つの緑副画素をそれぞれ含む前記副画素列の間の前記副画素列及び前記一つの緑副画素行に隣接する青副画素行に含まれる、青副画素と、で構成され、
前記表示領域において、前記第１軸に沿って延びる前記第１種表示画素からなる行と前記第２種表示画素からなる行とが、前記第２軸に沿って交互に配列され、
前記第１種表示画素を含む行それぞれにおいて、隣接する第１種表示画素は赤副画素及び青副画素を共有し、緑副画素は各第１種表示画素に占有され、
前記第２種表示画素を含む行それぞれにおいて、隣接する第２種表示画素は緑副画素を共有し、赤副画素及び青副画素は各第２種表示画素に占有され、
前記制御装置は、
各第１種表示画素の緑副画素に対して対応する第１フレーム画素から与える輝度値を、前記第１フレーム画素から所定方法で決定し、
各第１種表示画素の二つの赤副画素それぞれに対して前記第１フレーム画素から与える輝度値を、前記第１フレーム画素から前記所定方法で一つの赤副画素に対して決定される輝度値よりも低減された輝度値に決定し、
各第１種表示画素の二つの青副画素それぞれに対して前記第１フレーム画素から与える輝度値を、前記第１フレーム画素から前記所定方法で一つの青副画素に対して決定される輝度値より低減した輝度値に決定し、
各第２種表示画素の赤副画素及び青副画素それぞれに対して対応する第２フレーム画素から与える輝度値を、前記第２フレーム画素から前記所定方法で決定し、
各第２種表示画素の二つの緑副画素それぞれに対して前記第２フレーム画素から与える輝度値を、前記第２フレーム画素から前記所定方法で一つの緑副画素に対して決定される輝度値よりも低減された輝度値に決定する、
表示装置。
【請求項２】
請求項１に記載の表示装置であって、
前記制御装置は、
隣接する第１種表示画素に共有される赤副画素及び青副画素それぞれに与える輝度値を、前記隣接する第１種表示画素の双方において与えられる輝度値に基づき決定し、
隣接する第２種表示画素に共有される緑副画素それぞれに与える輝度値を、前記隣接する第２種表示画素の双方において与えられる輝度値に基づき決定する、
表示装置。
【請求項３】
請求項２に記載の表示装置であって、
前記制御装置は、
各第１種表示画素の二つの赤副画素それぞれに対して前記第１フレーム画素から与える輝度値を、前記所定方法で一つの赤副画素に対して与える輝度値の半分の輝度値に決定し、
各第１種表示画素の二つの青副画素それぞれに対して前記第１フレーム画素から与える輝度値を、前記所定方法で一つの青副画素に対して与える輝度値の半分の輝度値に決定し、
各第２種表示画素の二つの緑副画素それぞれに対して前記第２フレーム画素から与える輝度値を、前記所定方法で一つの緑副画素に対して与える輝度値の半分の輝度値に決定する、
表示装置。
【請求項４】
請求項２に記載の表示装置であって、
前記制御装置は、
前記第１軸に沿って延びる複数の連続して点灯した第２種表示画素からなる表示ラインの各端に位置する端第２種表示画素において、前記表示ラインの端に位置する緑副画素に前記第２フレーム画素から与える輝度値を、前記端第２種表示画素内の他の緑副画素に前記第２フレーム画素から与える輝度値よりも低い輝度値に決定する、
表示装置。
【請求項５】
請求項２に記載の表示装置であって、
前記制御装置は、
各第１種表示画素の二つの赤副画素それぞれに対して前記第１フレーム画素から与える輝度値を、前記所定方法で一つの赤副画素に対して与える輝度値の半分の輝度値に決定し、
各第１種表示画素の二つの青副画素それぞれに対して前記第１フレーム画素から与える輝度値を、前記所定方法で一つの青副画素に対して与える輝度値の半分の輝度値に決定し、
前記第１軸に沿って延びる点灯された複数の第２種表示画素からなる表示ラインの各端に位置する端第２種表示画素において、前記表示ラインの端に位置する緑副画素に前記第２フレーム画素から与える輝度値を、前記端第２種表示画素内の他の緑副画素に前記第２フレーム画素から与える輝度値よりも低い輝度値に決定し、
前記他の緑副画素に対して前記第２フレーム画素から与える輝度値を、前記所定方法で一つの緑副画素に対して与える輝度値の半分の輝度値に決定し、
前記表示ラインにおける前記端第２種表示画素より内側の各第２種表示画素の二つの緑副画素それぞれに対して前記第２フレーム画素から与える輝度値を、前記所定方法で一つの緑副画素に対して与える輝度値の半分の輝度値に決定する、
表示装置。
【請求項６】
表示装置の制御方法であって、
前記表示装置の表示領域は、第１軸に沿って延びる複数の副画素行及び第２軸に沿って延びる奇数本の副画素列の構成を有し、
前記複数の副画素行は、交互に配列された、赤副画素からなる赤副画素行と、青副画素からなる青副画素行と、緑副画素からなる緑副画素行と、で構成され、
前記複数の副画素行において、隣接する副画素行は、前記第１軸に沿ってずれており、
前記表示領域は、前記第１軸に垂直な第２軸に沿って延びる（２ｎ＋１）個の副画素列で構成され、前記ｎは自然数であり、
前記奇数本の副画素列のそれぞれは、交互に配列された、赤副画素、緑副画素及び青副画素で構成され、
前記表示領域における第１種表示画素のそれぞれは、
一つの緑副画素と、
前記一つの緑副画素を含む緑副画素行に隣接する赤副画素行に含まれ、それぞれ前記一つの緑副画素を含む副画素列に隣接する副画素列に含まれる二つの赤副画素と、
前記一つの緑副画素を含む緑副画素行に隣接する青副画素行に含まれ、それぞれ前記一つの緑副画素を含む副画素列に隣接する前記副画素列に含まれる二つの青副画素と、で構成され、
前記表示領域における第２種表示画素のそれぞれは、
一つの緑副画素行において隣接する二つの緑副画素と、
前記二つの緑副画素をそれぞれ含む副画素列の間の副画素列及び前記一つの緑副画素行に隣接する赤副画素行に含まれる、赤副画素と、
前記二つの緑副画素をそれぞれ含む前記副画素列の間の前記副画素列及び前記一つの緑副画素行に隣接する青副画素行に含まれる、青副画素と、で構成され、
前記表示領域において、前記第１軸に沿って延びる前記第１種表示画素からなる行と前記第２種表示画素からなる行とが、前記第２軸に沿って交互に配列され、
前記第１種表示画素からなる行それぞれにおいて、隣接する第１種表示画素は赤副画素及び青副画素を共有し、緑副画素は各第１種表示画素に占有され、
前記第２種表示画素からなる行それぞれにおいて、隣接する第２種表示画素は緑副画素を共有し、赤副画素及び青副画素は各第２種表示画素に占有され、
前記制御方法は、
各第１種表示画素の緑副画素に対して対応する第１フレーム画素から与える輝度値を、前記第１フレーム画素から所定方法で決定し、
各第１種表示画素の二つの赤副画素それぞれに対して前記第１フレーム画素から与える輝度値を、前記第１フレーム画素から前記所定方法で一つの赤副画素に対して決定される輝度値よりも低減された輝度値に決定し、
各第１種表示画素の二つの青副画素それぞれに対して前記第１フレーム画素から与える輝度値を、前記第１フレーム画素から前記所定方法で一つの青副画素に対して決定される輝度値より低減した輝度値に決定し、
各第２種表示画素の赤副画素及び青副画素それぞれに対して対応する第２フレーム画素から与える輝度値を、前記第２フレーム画素から前記所定方法で決定し、
各第２種表示画素の二つの緑副画素それぞれに対して前記第２フレーム画素から与える輝度値を、前記第２フレーム画素から前記所定方法で一つの緑副画素に対して決定される輝度値よりも低減された輝度値に決定する、
制御方法。
【請求項７】
請求項６に記載の制御方法であって、
隣接する第１種表示画素に共有される赤副画素及び青副画素それぞれに与える輝度値を、前記隣接する第１種表示画素の双方において与えられる輝度値に基づき決定し、
隣接する第２種表示画素に共有される緑副画素それぞれに与える輝度値を、前記隣接する第２種表示画素の双方において与えられる輝度値に基づき決定する、
制御方法。
【請求項８】
請求項７に記載の制御方法であって、
各第１種表示画素の二つの赤副画素それぞれに対して前記第１フレーム画素から与える輝度値を、前記所定方法で一つの赤副画素に対して与える輝度値の半分の輝度値に決定し、
各第１種表示画素の二つの青副画素それぞれに対して前記第１フレーム画素から与える輝度値を、前記所定方法で一つの青副画素に対して与える輝度値の半分の輝度値に決定し、
各第２種表示画素の二つの緑副画素それぞれに対して前記第２フレーム画素から与える輝度値を、前記所定方法で一つの緑副画素に対して与える輝度値の半分の輝度値に決定する、
制御方法。
【請求項９】
請求項７に記載の制御方法であって、
前記第１軸に沿って延びる点灯された複数の第２種表示画素からなる表示ラインの各端に位置する端第２種表示画素において、前記表示ラインの端に位置する緑副画素に前記第２フレーム画素から与える輝度値を、前記端第２種表示画素内の他の緑副画素に前記第２フレーム画素から与える輝度値よりも低い輝度値に決定する、
制御方法。
【請求項１０】
請求項７に記載の制御方法であって、
各第１種表示画素の二つの赤副画素それぞれに対して前記第１フレーム画素から与える輝度値を、前記所定方法で一つの赤副画素に対して与える輝度値の半分の輝度値に決定し、
各第１種表示画素の二つの青副画素それぞれに対して前記第１フレーム画素から与える輝度値を、前記所定方法で一つの青副画素に対して与える輝度値の半分の輝度値に決定し、
前記第１軸に沿って延びる点灯された複数の第２種表示画素からなる表示ラインの各端に位置する端第２種表示画素において、前記表示ラインの端に位置する緑副画素に前記第２フレーム画素から与える輝度値を、前記端第２種表示画素内の他の緑副画素に前記第２フレーム画素から与える輝度値よりも低い輝度値に決定し、
前記他の緑副画素に対して前記第２フレーム画素から与える輝度値を、前記所定方法で一つの緑副画素に対して与える輝度値の半分の輝度値に決定し、
前記表示ラインにおける前記端第２種表示画素より内側の各第２種表示画素の二つの緑副画素それぞれに対して前記第２フレーム画素から与える輝度値を、前記所定方法で一つの緑副画素に対して与える輝度値の半分の輝度値に決定する、
制御方法。